(57)【要約】【課題】記録媒体の収納動作及び排出動作の指示がソフトキーを用いて行われる車載式記録媒体再生装置において、操作性を向上して操作が運転に与える影響を低減することを目的とする。【解決手段】本発明の車載式記録媒体再生装置は、表示装置及びタッチパネルを有すると共に、本体部に開閉自在に設けられたフロントパネルを具えており、フロントパネルが閉位置にある状態にて、記録媒体の収納動作及び排出動作に用いる操作用画面が表示され、操作用画面を用いて記録媒体の収納動作又は排出動作が指示されると、フロントパネルが閉位置から開位置に移動すると共に、タッチパネルを介した操作が無効にされ、フロントパネルが開位置にある状態にて、指示された収納動作又は排出動作が実行されて、フロントパネルに設けられたハードキーが押されると、フロントパネルが開位置から閉位置に移動すると共に、タッチパネルを介した操作が有効にされる。【選択図】図１
2007273004.tif 000002
【特許請求の範囲】
【請求項１】
表示装置と、前記表示装置の表示領域上に配置されたタッチパネルと、前記表示装置及び前記タッチパネルが設けられたフロントパネルと、１又は複数の記録媒体を挿脱自在に収納及び再生するドライブ装置とを具えており、前記フロントパネルは、前記ドライブ装置を含む本体部に開閉自在に設けられて、閉位置において、前記本体部に設けられた記録媒体挿入口を覆うように起立し、開位置において、前記表示装置の表示領域を上方に向けて横臥する車載式記録媒体再生装置において、
前記フロントパネルが前記閉位置にある状態にて、記録媒体の収納動作及び排出動作を指示する複数のソフトキーが示された操作用画面を表示し、
前記操作用画面を用いて記録媒体の収納動作又は排出動作が指示されると、前記フロントパネルを前記閉位置から前記開位置に移動させると共に、前記タッチパネルを介した操作を無効とし、
前記フロントパネルが前記開位置にある状態にて、前記収納動作又は前記排出動作を実行し、前記フロントパネルに設けられたハードキーが押されると、前記フロントパネルを前記開位置から前記閉位置に移動させると共に、前記タッチパネルを介した操作を有効にすることを特徴とする車載式記録媒体再生装置。
【請求項２】
前記収納動作が指示されると、前記フロントパネルを前記開位置に移動させた後、前記記録媒体挿入口に挿入された記録媒体を前記ドライブ装置内に搬送して収納するための待機状態になり、
前記排出動作が指示されると、前記フロントパネルを前記開位置に移動させた後、排出すべき記録媒体を前記記録媒体挿入口に移動させる、請求項１に記載の車載式記録媒体再生装置。
【請求項３】
前記排出動作の実行中に前記ハードキーが押されると、その記録媒体を収納した後に、前記フロントパネルを前記開位置から前記閉位置に移動させ、
記録媒体が前記記録媒体挿入口に挿入されたままの状態で前記ハードキーが押されると、その記録媒体を収納した後に、前記フロントパネルを前記開位置から前記閉位置に移動させる、請求項１又は請求項２に記載の車載式記録媒体再生装置。
【請求項４】
前記ドライブ装置は、複数の記録媒体保持部を有しており、
前記複数のソフトキーは、これら記録媒体保持部の各々に対応して設けられた複数の選択キーを含んでおり、
記録媒体を保持していない記録媒体保持部に対応した選択キーは、無効にされると共に、有効なソフトキーと視覚的に区別されるように示される、請求項１に記載の車載式記録媒体再生装置。
【請求項５】
有効な選択キーが押されると、押された選択キーに対応した記録媒体保持部が選択されると共に、その選択キーは、選択されていない記録媒体保持部に対応した有効な選択キーと視覚的に区別されるように表示され、
選択された記録媒体保持部に対応した有効な選択キーが押されると、その選択キーの表示における視覚的な区別が解除されると共に、その選択キーに対応した記録媒体保持部の選択が解除される、請求項４に記載の車載式記録媒体再生装置。
【請求項６】
前記複数のソフトキーは、前記排出動作を指示するエジェクトキーを含んでおり、
全ての記録媒体保持部に記録媒体が保持されていない場合、前記エジェクトキーは、無効にされると共に、有効なソフトキーと視覚的に区別されるように示され、
何れの記録媒体保持部も選択されていない場合に前記エジェクトキーが押されると、前記ドライブ装置内の全ての記録媒体を排出するように前記排出動作を実行し、
少なくとも１つの記録媒体保持部の選択がされている場合に前記エジェクトキーが押されると、選択された記録媒体保持部に保持されている記録媒体を排出するように前記排出動作を実行する、請求項４に記載の車載式記録媒体再生装置。
【請求項７】
前記複数の記録媒体保持部の各々に、番号が一義的に付されており、
前記排出動作が完了すると、前記記録媒体挿入口に挿入された記録媒体を前記ドライブ装置内に搬送して、記録媒体を保持していない記録媒体保持部の中で前記番号が最も小さい又最も大きい記録媒体保持部に収納するための待機状態になる、請求項６に記載の車載式記録媒体再生装置。
【請求項８】
前記複数のソフトキーは、前記収納動作を指示するロードキーを含んでおり、
前記複数の記録媒体保持部の各々には、番号が一義的に付されており、
前記ロードキーが押されると、前記フロントパネルを前記開位置に移動させた後に、前記記録媒体挿入口に挿入された記録媒体を前記ドライブ装置内に搬送して、記録媒体を保持していない記録媒体保持部の中で前記番号が最も小さい又最も大きい記録媒体保持部に収納するための待機状態になる、請求項４乃至７の何れかに記載の車載式記録媒体再生装置。
【請求項９】
前記収納動作又は前記排出動作が指示されると、前記タッチパネルを介した操作を無効にし、
前記複数のソフトキーは、前記タッチパネルを介した操作が有効な状態と視覚的に区別されるように示される、請求項１乃至８の何れかに記載の車載式記録媒体再生装置。
【発明の詳細な説明】
【技術分野】
【０００１】
本発明は、タッチパネルを具えたカーオーディオ装置のような、ソフトキーによる記録媒体の収納動作及び排出動作の指示が行われる車載式記録媒体再生装置に関する。
【背景技術】
【０００２】
ナビゲーション機能を有するカーオーディオ装置は、ＣＤなどの複数の記録媒体を収納すると共にそれらの再生を行うチェンジャードライブ装置と、地図情報を記録したハードディスク等の記録媒体からデータを取得又は記録するドライブ装置と、液晶表示装置(ＬＣＤ)等の表示装置とを具えている。表示装置には、ナビゲーション画像やテレビジョン画像等に加えて、各種ソフトキーを示す操作用画面が表示される。これによって、多数のハードキーを設けることなく、カーオーディオ装置の操作が可能とされている。
【０００３】
車両のセンターパネルから突出するように表示装置を設けることは、デザイン面や車内空間の有効活用という点で好ましくない。故に、このようなカーオーディオ装置の多くは、表示装置及びタッチパネルが設けられたフロントパネルを、本体部に対して開閉自在に設けた構成を採用している。フロントパネルは、通常時においてチェンジャードライブ装置を納めた本体部の前面を覆うように起立しており、記録媒体の収納又は排出が行われる際には、起立状態から傾倒して、表示装置の表示領域を上方に向けて横臥する。これにより、本体部の前面においてチェンジャードライブ装置の記録媒体挿入口が露出して、記録媒体の収納又は排出が可能となる。
【０００４】
【特許文献１】特開２００１−２８０９７９号公報
【発明の開示】
【発明が解決しようとする課題】
【０００５】
チェンジャードライブ装置の内部には、記録媒体を着脱自在に保持する複数の保持部(スロット)が設けられており、カーオーディオ機器には、記録媒体を排出するスロットの選択に使用する選択キー、記録媒体の排出を指示するエジェクトキー、記録媒体の収納を指示するロードキーなどが必要とされる。通常、これらのキーは、タッチパネルと表示装置を利用してソフトキーとして提供される。
【０００６】
従来のカーオーディオ機器では、フロントパネルが横臥した状態で、これらソフトキーが表示されて、ドライバーによるそれらの操作が行われている。しかしながら、表示装置の表示領域が上方に向いていることから、ソフトキーの視認性や操作性が著しく低下した状況下でそれらの操作が行われている。特に、表示装置にＬＣＤを使用している場合には、コントラスト変化、着色現象や色反転現象が生じることから、ソフトキーの視認性は極端に悪くなる。さらに、運転中にソフトキーの操作を行う場合、ドライバは、身を乗り出して目線を下方に移動させて表示装置を覗き込むことになるので、安全面において大きな問題が生じる。
【０００７】
本発明は、上記の問題を解決するものであって、記録媒体の収納動作及び排出動作の指示がソフトキーを用いて行われる車載式記録媒体再生装置において、その操作性を向上させると共に、ソフトキーの操作が運転に与える影響を低減することを目的とする。
【課題を解決するための手段】
【０００８】
本発明の車載式記録媒体再生装置は、表示装置と、前記表示装置の表示領域上に配置されたタッチパネルと、前記表示装置及び前記タッチパネルが設けられたフロントパネルと、１又は複数の記録媒体を挿脱自在に収納及び再生するドライブ装置とを具えており、前記フロントパネルは、前記ドライブ装置を含む本体部に開閉自在に設けられて、閉位置において、前記本体部に設けられた記録媒体挿入口を覆うように起立し、開位置において、前記表示装置の表示領域を上方に向けて横臥する車載式記録媒体再生装置において、前記フロントパネルが前記閉位置にある状態にて、記録媒体の収納動作及び排出動作を指示する複数のソフトキーが示された操作用画面を表示し、前記操作用画面を用いて記録媒体の収納動作又は排出動作が指示されると、前記フロントパネルを前記閉位置から前記開位置に移動させると共に、前記タッチパネルを介した操作を無効とし、前記フロントパネルが前記開位置にある状態にて、前記収納動作又は前記排出動作を実行し、前記フロントパネルに設けられたハードキーが押されると、前記フロントパネルを前記開位置から前記閉位置に移動させると共に、前記タッチパネルを介した操作を有効にすることを特徴とする。
【０００９】
本発明の車載式記録媒体再生装置は、前記収納動作が指示されると、前記フロントパネルを前記開位置に移動させた後、前記記録媒体挿入口に挿入された記録媒体を前記ドライブ装置内に搬送して収納するための待機状態になり、前記排出動作が指示されると、前記フロントパネルを前記開位置に移動させた後、排出すべき記録媒体を前記記録媒体挿入口に移動させる。
【００１０】
本発明の車載式記録媒体再生装置は、前記排出動作の実行中に前記ハードキーが押されると、その記録媒体を収納した後に、前記フロントパネルを前記開位置から前記閉位置に移動させ、記録媒体が前記記録媒体挿入口に挿入されたままの状態で前記ハードキーが押されると、その記録媒体を収納した後に、前記フロントパネルを前記開位置から前記閉位置に移動させる。
【００１１】
本発明の車載式記録媒体再生装置では、前記ドライブ装置は、複数の記録媒体保持部を有しており、前記複数のソフトキーは、これら記録媒体保持部の各々に対応して設けられた複数の選択キーを含んでおり、記録媒体を保持していない記録媒体保持部に対応した選択キーは、無効にされると共に、有効なソフトキーと視覚的に区別されるように示される。
【００１２】
本発明の車載式記録媒体再生装置では、有効な選択キーが押されると、押された選択キーに対応した記録媒体保持部が選択されると共に、その選択キーは、選択されていない記録媒体保持部に対応した有効な選択キーと視覚的に区別されるように表示され、選択された記録媒体保持部に対応した有効な選択キーが押されると、その選択キーの表示における視覚的な区別が解除されると共に、その選択キーに対応した記録媒体保持部の選択が解除される、。
【００１３】
本発明の車載式記録媒体再生装置では、前記複数のソフトキーは、前記排出動作を指示するエジェクトキーを含んでおり、全ての記録媒体保持部に記録媒体が保持されていない場合、前記エジェクトキーは、無効にされると共に、有効なソフトキーと視覚的に区別されるように示され、何れの記録媒体保持部も選択されていない場合に前記エジェクトキーが押されると、前記ドライブ装置内の全ての記録媒体を排出するように前記排出動作が実行され、少なくとも１つの記録媒体保持部の選択がされている場合に前記エジェクトキーが押されると、選択された記録媒体保持部に保持されている記録媒体を排出するように前記排出動作が実行される。
【００１４】
本発明の車載式記録媒体再生装置では、前記複数の記録媒体保持部の各々に、番号が一義的に付されており、前記車載式記録媒体再生装置は、前記排出動作が完了すると、前記記録媒体挿入口に挿入された記録媒体を前記ドライブ装置内に搬送して、記録媒体を保持していない記録媒体保持部の中で前記番号が最も小さい又最も大きい記録媒体保持部に収納するための待機状態になる。
【００１５】
本発明の車載式記録媒体再生装置では、前記複数のソフトキーは、前記収納動作を指示するロードキーを含んでおり、前記複数の記録媒体保持部の各々には、番号が一義的に付されており、前記車載式記録媒体再生装置は、前記ロードキーが押されると、前記フロントパネルを前記開位置に移動させた後に、前記記録媒体挿入口に挿入された記録媒体を前記ドライブ装置内に搬送して、記録媒体を保持していない記録媒体保持部の中で前記番号が最も小さい又最も大きい記録媒体保持部に収納するための待機状態になる。
【００１６】
本発明の車載式記録媒体再生装置は、前記収納動作又は前記排出動作が指示されると、前記タッチパネルを介した操作を無効にし、前記複数のソフトキーは、前記タッチパネルを介した操作が有効な状態と視覚的に区別されるように示される。
【発明の効果】
【００１７】
本発明の車載式記録媒体再生装置では、操作用画面にて記録媒体の収納動作又は排出動作が指示されると、フロントパネルが閉位置から開位置に移動して収納動作又は排出動作が実行され、ハードキーが押されるとフロントパネルが開位置から閉位置に戻る。本発明によれば、フロントパネルが閉位置にあって、ソフトキーがドライバに即座に且つ明確に識別される状態において、記録媒体の収納動作及び排出動作に関したソフトキーの操作が完了し、フロントパネルが開位置にある状態でソフトキーを操作する必要がないことから、車載式記録媒体再生装置の操作性の向上がもたらされる。さらに、本発明によれば、フロントパネルが開位置にある状態にてタッチパネルによる操作を無効とすることで、運転中に身を乗り出して表示装置を覗き込むような、運転に悪影響を及ぼすドライバの行為が抑制される。
【発明を実施するための最良の形態】
【００１８】
以下、図を用いて本発明の車載式記録媒体再生装置を説明する。図１及び図２は、本発明の実施例であるカーオーディオ装置(1)を前方から見た斜視図である。カーオーディオ装置(1)は、車両のセンターパネルに装着される本体部(3)と、本体部(3)に対して可動に設けられたフロントパネル(5)とを有している。本体部(3)は。図１は、フロントパネル(5)が閉位置にある状態を示しており、図２は、フロントパネル(5)が開位置にある状態を示している。本体部(3)には、ディスクチェンジャードライブ(7)と、ハードディスクドライブ(ＨＤＤ)(9)と、後述するブロック図に示すマイコン等の構成要素が設けられた回路基板(11)と、これらが納めされた筐体(13)とを具えている。厚板状のフロントパネル(5)は、タッチスクリーン(15)と、これらを格納する筐体(17)と、筐体(17)の縁部に配置された各種ハードキー(19a-j)とを具えている。タッチスクリーン(15)は、表示装置であるＬＣＤ(21)と、その表示領域上に配置されたタッチパネル(23)とで構成される。
【００１９】
図２に示すように、本体部(3)の前面には窪み(25)が形成されており、その窪み(25)の底面には、ディスクチェンジャードライブ(7)のディスク挿入口(27)が設けられている。図１に示す状態では、フロントパネル(5)は、本体部(3)の前面を覆うように起立しており、本体部(3)の窪み(25)に嵌められる。各種ハードキー(19a-j)の１つは、フロントパネル(5)の開閉に用いられるオープン/クローズキー(19a)であって、図１に示す状態においてオープン/クローズキー(19a)が押されると、後述する操作用画面が表示される。その操作用画面を用いてディスクの収納又は排出が指示されると、フロントパネル(5)の上端側が本体部(3)の窪み(25)の内壁に設けられたガイド溝(29)に沿って下方に移動し、フロントパネル(5)の下端側が一対のアーム(31)で押し出されることで、フロントパネル(5)は傾倒し、ＬＣＤ(21)の表示領域を上方に向けて、本体部(3)の前面に対して略垂直に横臥する。
【００２０】
カーオーディオ装置(1)は、フロントパネル(5)を移動させるためのフロントパネル開閉機構(33)を具えている。図３は、フロントパネル(5)が閉位置にある状態のカーオーディオ装置(1)の側面図であって、図４は、フロントパネル(5)が開位置にある状態のカーオーディオ装置(1)の側面図である。図５は、フロントパネル(5)が開位置にある状態のフロントパネル開閉機構(33)を示す上面図である(一部省略)。図３乃至図５において、本体部(3)の筐体(13)は一点鎖線で示されている。フロントパネル開閉機構(33)は、モータ(35)と、筐体(13)の内側底面上にて、前後にスライド移動する可動フレーム(37)と、可動フレーム(37)の上面に固定された１対のアーム(31)とを含んでいる。これらアーム(31)は、夫々筐体(13)の側壁に沿うように離間して配置されている。
【００２１】
一方のアーム(31)の内側側方において、可動フレーム(33)の上面にはラック(39)が固定されている。また、両方のアーム(31)の外側側方にはガイド溝(41)が形成されており、これらガイド溝(41)には、本体部(3)の筐体(13)の内側側面に、水平方向に沿って一列に並べて配置されたガイドローラ(43)の幾つかが嵌め込まれる。筐体(13)の内側底面には、モータ(35)と、このモータ(35)の回転軸に設けられたウォームギア等を含むギア機構(45)とが設けられている。ギア機構(45)に含まれる１つのギアがラック(39)と噛合しており、モータ(35)が回転してギア機構(45)が駆動されると、その回転方向に応じて、可動フレーム(37)は前方又は後方に向かって移動する。なお、可動フレーム(37)は、モータ(35)やギア機構(45)と干渉しない形状を有している。
【００２２】
フロントパネル(5)の下端部は、一対のアーム(31)に回動自在に枢支されている。実施例では、フロントパネル(5)の両側面に、ピン(47)が側方に向けて突設されており、それらピン(47)は、１対のアーム(31)の先端部に夫々開けられた孔に夫々嵌め込まれている。フロントパネル(5)の両側面の上端部には、ガイドピン(49)が夫々突設されており、これらガイドピン(49)の各々は、筐体(13)の両側壁の前部内面にて、略垂直に形成されたガイド溝(29)に摺動自在に夫々嵌め込まれている。
【００２３】
図３に示す通常状態では、ガイドピン(49)はガイド溝(29)の上端に位置しており、フロントパネル(5)は起立している。モータ(35)が回転すると、可動フレーム(37)、さらにはアーム(31)の前方への移動に伴って、フロントパネル(5)の下端部が前方に押し出されて、ガイドピン(49)がガイド溝(29)に沿って下方に移動しつつ、フロントパネル(5)は、ピン(47)を中心に回転して徐々に傾いていく。ガイドピン(49)がガイド溝(29)の下端まで移動すると、モータ(35)は停止し、フロントパネル(5)は、ＬＣＤ(21)の表示領域を上方に向けて略水平方向に沿って配置される。モータ(35)が逆回転すると、フロントパネル(5)は、開位置から閉位置に移動する。
【００２４】
図６に、カーオーディオ装置(1)のブロック図を示す。ディスクチェンジャードライブ(7)は、最大で６枚のＣＤやＣＤ−Ｒ等のディスク状の記録媒体(以下、「ディスク」と称する)を収納し、選択されたディスクに記録された音声データを再生して、音声信号を生成する。ＦＭ/ＡＭチューナー(51)は、ＦＭ/ＡＭアンテナ(53)を介して受信した信号を復調及び再生し、音声信号を生成する。ディスクチェンジャードライブ(7)又はＦＭ/ＡＭチューナー(51)から出力された音声信号は、アンプ(55)にて増幅された後、スピーカ(57)にて音波に変換される。
【００２５】
カーオーディオ装置(1)は、ナビゲーション機能を有しており、ＧＰＳ受信機(59)は、ＧＰＳ衛星から送られる信号をＧＰＳアンテナ(61)を介して受信して、車両の現在位置(緯度及び経度)を決定する。ジャイロ(63)は、加速度と直角方向に働くコリオリ力を利用して角加速度を測定する。ＨＤＤ(9)は、ハードディスクに記録された道路地図データ等を読み出す。
【００２６】
メインマイクロコンピュータ(以下、「メインマイコン」と称する)(65)は、ＣＰＵ、ＲＯＭ及びＲＡＭ等から構成されており、それに接続されたディスクチェンジャードライブ(7)やＨＤＤ(9)などの制御を行う。さらに、メインマイコン(65)は、ナビゲーション動作に必要な誘導経路の算出を行い、ＧＰＳ受信機(59)やジャイロ(63)から送られる情報、さらには、車速センサ(67)から送られる車両の速度に関する情報と、ＨＤＤ(9)から読み出された道路地図データとに基づいて、ナビゲーション画像の画像データを作成する指示をＧＰＵ(Graphics Processing Unit)(69)に送る。ＧＰＵ(69)は、ソフトキーが示された操作用画面等の画像データも作成する。ＧＰＵ(69)が作成した画像データは、ＬＣＤ(21)にて表示される。キーマイクロコンピュータ(以下、「キーマイコン」と称する)(71)は、ハードキー(19a-j)及びタッチパネル(23)から送られる入力信号を処理して、それらの押下に関する情報をメインマイコン(65)に送る。
【００２７】
ディスクチェンジャードライブ(7)は、複数のディスクを保持するディスク保持機構(73)と、ディスク挿入口(27)とディスク保持機構(73)との間でディスクを移動させるディスク搬送機構(75)と、ターンテーブルや光ピックアップ等から構成されるデータ読出機構(77)とディスクから読み出された音声データを処理するＤＳＰ(79)と、ディスクを検知するディスク検知機構(81)と、これらを制御する制御マイコン(83)とを含んでいる。
【００２８】
図７は、ディスクが収納されていない状態のディスクチェンジャードライブ(7)を、図２に示すＩ−Ｉ線を含む水平面で破断して、矢視方向に見た断面図である。ディスク保持機構(73)は、垂直方向に並べて配置された６つのディスクホルダ(85a-f)(図８(a)等も参照のこと)と、これらディスクホルダ(85a-f)の移動機構とを有している。各ディスクホルダ(85a-f)は、円弧状に形成されており、その内側には、ディスクの縁部が嵌め込まれる溝が形成されている。ディスクホルダ(85a-f)の外側には、４つのフランジ(87)が形成されており、各フランジには、図示を省略したピンが形成されている。これらのピンは、不等ピッチのカム溝(図示省略)が形成された円筒カム(89)と係合している。図示を省略したモータが駆動して、このモータとギア機構(図示省略)を介して連結された円筒カム(89)が回転することにより、これらディスクホルダ(85a-f)が上下に移動する。
【００２９】
図８(a)乃至(c)は、ディスクチェンジャードライブ(7)の内部におけるディスクホルダ(85a-f)の配置例を模式的に示した説明図である。挿入及び搬送されたディスクを保持するディスクホルダ(85a-f)、又は、保持しているディスクを排出するディスクホルダ(85a-f)は、ディスク挿入口(27)に対して位置決めされる。ディスクホルダ(85a-f)には、上から順番に１から６までのスロット番号が一義的に付されており、図８(a)は、最上にあるスロット番号１のディスクホルダ(85a)が、ディスク挿入口(27)に対して位置決めされた状態を示している。なお、図７は、同状態を示した断面図である。図８(b)は、上から３番目にあるスロット番号３のディスクホルダ(85c)が、ディスク挿入口(27)に対して位置決めされた状態を示している。図８(c)は、最下にあるスロット番号６のディスクホルダ(85f)が、ディスク挿入口(27)に対して位置決めされた状態を示している。上から２番目にあるスロット番号２のディスクホルダ(85b)、上から４番目にあるスロット番号４のディスクホルダ(85d)、上から５番目にあるスロット番号５のディスクホルダ(85e)も同様に位置決めされる。
【００３０】
再度図７を参照すると、ディスク搬送機構(75)は、ガイド部(91)と、ベルト搬送部(93)と、これらを移動させる移動機構(図示省略)と、ベルト搬送部(93)を駆動する駆動機構(図示省略)等とで構成されている。ガイド部(91)には、ディスクの周縁部が嵌まる溝(95)が水平方向に沿って形成されている。ベルト搬送部(93)は、ベルト(97)及びプーリ(99)と、これらの上下に配置された一対のカイド板等から構成される。図７は、スロット番号１のディスクホルダ(85a)がディスクの挿入を待っている待機状態(ローディング待ち状態)を示している。図示を省略した移動機構によって、ガイド部(91)とベルト搬送部(93)は左右に(図７において上下に)移動自在に構成されており、ローディング待ち状態では、ガイド部(91)の溝(95)の底部と、ベルト搬送部(93)のベルト(97)におけるガイド部(91)側の部分との距離は、ディスクの直径よりも若干短くされる。
【００３１】
ディスク挿入口(27)にディスク(101)が挿入されると、図９に示すように、ガイド部(91)とベルト搬送部(93)が互い離れるように移動して、溝(95)の底部とベルト(97)とがディスク(101)を挟持する。また、ディスク検知機構(81)を構成する光学式又は接触式のセンサ(103)がガイド部(91)に設けられており、該センサ(103)によってディスク(101)が検知されることにより、該センサ(103)からの通知を受けた制御マイコン(83)は、一方のプーリ(99)と繋がったモータ(図示せず)を回転させる。そして、ディスク(101)がディスクホルダ(85a)に向かって移動するようにベルト(97)が駆動する。ディスク(101)が移動してディスクホルダ(85a)に保持されると、ディスクホルダ(85a)に設けられた光学式又は接触式のセンサ(105)が、ディスク(101)を検知する。該センサ(105)もディスク検知機構(81)を構成する。センサ(105)からの通知を受けた制御マイコン(83)は、ベルト(97)を駆動するモータを停止させる。図１０は、スロット番号１のディスクホルダ(85a)にディスク(101)が保持された状態を示している。その後、制御マイコン(83)は、ガイド部(91)とベルト搬送部(93)を互いに離れるように移動させて、ガイド部(91)とベルト搬送部(93)からディスク(101)が解放される。なお、保持されたディスクを検知するセンサ(105)は、各ディスクホルダ(85a-f)に設けられている。
【００３２】
ディスクチェンジャードライブ(7)のデータ読出機構(77)は、フレーム(107)と、フレーム(107)の一端側に設けられたターンテーブル(109)と、フレーム(107)に形成された矩形の開口(109)内で、フレーム(107)の長手方向に沿って移動するピックアップ(113)とを含んでいる。図示を省略した移動機構によって、フレーム(107)は、その他端側に設けられた軸部を中心に回動し、上下に昇降し、前後、つまりディスク(101)の搬送方向に沿って移動自在に構成されている。
【００３３】
例えば、スロット番号１のディスクホルダ(85a)に保持されたディスク(101)が再生される場合、図１０に示すように、ガイド部(91)とベルト搬送部(93)にディスク(101)が挟持された後、ベルト(97)が駆動して、ディスク(101)がディスクホルダ(85a)から取り出される。ディスク(101)がディスク挿入口(27)に向かって若干移動すると、ベルト(97)が停止する。そして、フレーム(107)が移動して、ディスク(101)がターンテーブル(109)に装着される。ガイド部(91)とベルト搬送部(93)が互いに離れるように移動して、これらからディスク(101)が解放された後、ターンテーブル(109)の回転と光ピックアップ(113)の移動とが行われて、ディスク(101)の再生が行われる。
【００３４】
ディスクホルダ(85a)に保持されたディスク(101)の排出(エジェクト)は、図１０に示すように、ガイド部(91)とベルト搬送部(93)にディスク(101)が挟持された後にベルト(97)が駆動して、ディスク(101)をディスク挿入口(27)に向けて移動させる。ガイド部(91)に設けられたセンサ(103)がディスク(101)を検知するとベルト(97)は停止し、図９に示すように、ディスク(101)は、その略半分をディスクチェンジャードライブ(7)の外部に出した状態で停止する。その後、ユーザによりディスクチェンジャードライブ(7)からディスク(101)が取り出される。
【００３５】
スロット番号１のディスクホルダ(85a)に着目して、ディスクの収納、再生及び排出について説明したが、その他のディスクホルダ(85b-f)についても、ディスクの収納、再生及び排出が同様に行われる。
【００３６】
図１１は、フロントパネル(5)の正面図であって、ディスクチェンジャードライブ(7)におけるディスクの収納及び排出を指示するソフトキー群が示された状態を示している。フロントパネル(5)の周縁部には、ブッシュキー、ロータリーキー、シーソーキーなどのハードキー(19a-j)が設けられており、その中の１つは、上記ソフトキー群を示すロード/エジェクト画面(201)の表示と、フロントパネル(5)の閉じる動作とを指示するオープン/クローズキー(19a)である。図１に示すようにフロントパネル(5)が閉位置にある場合に、オープン/クローズキー(19a)が押されると、ロード/エジェクト画面(201)がＬＣＤ(21)に表示される。ロード/エジェクト画面(201)には、各ディスクホルダ(85a-f)、つまり各スロット毎に設けられた６つの選択キー(203a-f)と、ディスクチェンジャードライブ(7)へのディスクの収納を開始させるロードキー(205)と、ディスクチェンジャードライブ(7)からのディスクの排出を開始させるエジェクトキー(207)とが示される。
【００３７】
ロード/エジェクト画面(201)を表示させる際、あるディスクホルダ(85a-f)にディスクが保持されていないと、メインマイコン(65)は、押下によってキーマイコン(71)から送られる信号を無視することで、そのディスクホルダ(85a-f)に対応する選択キー(203a-f)を無効する。さらに、無効にされた選択キー(203a-f)は、ロード/エジェクト画面(201)においてグレーアウト表示されて視覚的に区別される。図１１は、スロット番号２乃至５のディスクホルダ(85b-e)にディスクが保持されている場合におけるロード/エジェクト画面(201)を一例として示している。スロット番号１及び６の空スロットに対応しており、無効にされた選択キー(203a)(203f)が、グレーアウト表示されている。
【００３８】
全てのディスクホルダ(85a-f)にディスクが保持されている場合、ロードキー(205)は無効にされ、グレーアウト表示される。また、全てのディスクホルダ(85a-f)にディスクが保持されていない場合、エジェクトキー(207)は無効にされ、グレーアウト表示される。また、少なくとも何れか１つのディスクホルダ(85a-f)にディスクが保持されており、選択キー(203a-f)によるスロットの選択が行われていない場合には、エジェクトキー(207)は、図１１に示すように「ＥＪＥＣＴ  ＡＬＬ」なる文字列と共に示される。
【００３９】
無効でない選択キー(203a-f)を押することで、その選択キー(203a-f)に対応したスロットが選択される。図１２は、スロット番号３及び４に対応した選択キー(203c)(203d)が押されて、これらの選択キー(203c)(203d)に対応したスロットが選択された後のロード/エジェクト画面(201)を示している。選択されているスロットに対応した有効な選択キー(203c)(203d)は、ハイライト表示されて視覚的に区別される。また、少なくとも１つのスロットが選択されている場合、図１２に示すように、エジェクトキー(207)の文字列は、「ＥＪＥＣＴ  ＡＬＬ」から「ＥＪＥＣＴ」に変更される。なお、ハイライト表示された選択キー(203c)(203d)を押すと、対応したスロットの選択が解除されて、その選択キー(203c)(203d)は通常表示に戻る。
【００４０】
ロード/エジェクト画面(201)が表示された後、ユーザは、排出を希望するディスクが入ったスロットを選択キー(203a-f)を押して選択し、その後、エジェクトキー(207)を押す。全てのディスクを排出する場合には、選択キー(203a-f)を押すことなく、文字列「ＥＪＥＣＴ  ＡＬＬ」が示されたエジェクトキー(207)を押せばよい。エジェクトキー(207)が押されるとフロントパネル(5)が傾倒して閉位置に移動し、図２に示すようにディスクチェンジャードライブ(7)のディスク挿入口(27)が露出する。そして、ディスクチェンジャードライブ(7)内のディスクが、スロット番号の小さいディスクホルダ(85a-f)に保持されたものから順次排出される。なお、スロット番号が大きいものからディスクが排出されてもよい。
【００４１】
フロントパネル(5)が横臥して、ディスクチェンジャードライブ(7)が図２に示す状態になると、メインマイコン(65)は、キーマイコン(71)に指示してタッチパネル(23)を介した操作を無効にする。さらに、メインマイコン(65)は、ＧＰＵ(69)に指示して、全てのソフトキーがグレーアウト表示されるようにロード/エジェクト画面(201)を変更させる。図１３は、全てのソフトキーがグレーアウト表示された状態のロード/エジェクト画面(201)を示している。排出すべきディスクが全て排出された後、ディスクチェンジャードライブ(7)は、スロット番号が最も小さい空きディスクホルダ(85a-f)について、図７に示すようなローディング待ち状態になる。排出すべきディスクが全て排出された後に、スロット番号が最も大きい空きディスクホルダが(85a-f)についてローディング待ち状態にされてもよい。
【００４２】
ロード/エジェクト画面(201)が表示された後に、(有効である)ロードキー(205)が押されると、フロントパネル開閉機構(33)が動作することでフロントパネル(5)が傾倒し、ディスクチェンジャードライブ(7)のディスク挿入口(27)が、図２に示すように露出する。そして、スロット番号が最も小さい空きディスクホルダ(85a-f)についてローディング待ち状態になる(スロット番号が最も大きい空きディスクホルダが(85a-f)についてローディング待ち状態にされてもよい)。フロントパネル(5)が傾倒して、フロントパネル(5)が開位置に移動すると、メインマイコン(65)は、キーマイコン(71)に指示してタッチパネル(23)を介した操作を無効とし、ＧＰＵ(69)に指示して全てのソフトキーをグレーアウト表示する。
【００４３】
スロット番号が最も小さい空きディスクホルダ(85a-f)のローディング待ち状態において、ディスク挿入口(27)にディスクが挿入されると、先に説明したようにそのディスクホルダ(85a-f)にディスクが搬送及び保持される。そして、ディスクチェンジャードライブ(7)は、スロット番号が最も小さい空きディスクホルダ(85a-f)のローディング待ち状態に再度移行する。全てのディスクホルダ(85a-f)にディスクが保持された場合、メインマイコン(65)は、フロントパネル(5)を閉位置に移動させて、カーオーディオ装置(1)をロード/エジェクト画面(201)が表示される前の動作モードに戻すと共に、キーマイコン(71)に指示してタッチパネル(23)を介した操作を有効にする。また、ローディング待ち状態においてオープン/クローズキー(19a)が押されると、メインマイコン(65)は、フロントパネル開閉機構(33)を駆動してフロントパネル(5)を閉位置に移動させると共に、キーマイコン(71)に指示してタッチパネル(23)を介した操作を有効にする。
【００４４】
あるディスクの排出中にオープン/クローズキー(19a)が押されると、または、排出されたディスクがディスク挿入口(27)に挿入されたまま状態でオープン/クローズキー(19a)が押されると、メインマイコン(65)は、ディスクチェンジャードライブ(7)の制御マイコン(83)に、排出中又は挿入されたままのディスクを、該ディスクが保持されていたディスクホルダ(85a-f)に戻す指示を行う。そして、ディスクがディスクホルダ(85a-f)に戻されると、メインマイコン(65)は、フロントパネル開閉機構(33)を駆動してフロントパネル(5)を閉位置に移動させる。そして、メインマイコン(65)は、カーオーディオ装置(1)をロード/エジェクト画面(201)が表示される前の動作モードに戻し、キーマイコン(71)に指示してタッチパネル(23)を介した操作を有効にする。
【００４５】
図１４は、ロード/エジェクト画面(201)に係る画像データの作成処理を示すフローチャートである。メインマイコン(65)は、オープン/クローズキー(19a)が押された旨の通知をキーマイコン(71)から受けると、メインマイコン(65)(のＣＰＵ)は、内蔵するＲＡＭに記憶されたディスクチェンジャードライブ(7)に関するステータスデータを読み出す(Ｓ１)。ステータスデータは、カーオーディオ装置(1)が給電されて立ち上がる際に作成されて、以後、ディスクチェンジャードライブ(7)の動作に応じて更新される。ステータスデータには、ディスク検知機構(81)によって検知された各ディスクホルダ(85a-f)のディスクの有無と、ディスクチェンジャードライブ(7)が現在収納しているディスクの枚数も含まれており、ディスクの収納又は排出が行われると、メインマイコン(65)は、ディスク検知機構(81)のからの信号を受けた制御マイコン(84)からの通知に基づいて、ステータスデータの書き換えを行う。
【００４６】
ステップＳ１の後、メインマイコン(65)は、スロット番号を示す変数ｎを１に初期化し(Ｓ３)、スロット番号ｎのスロット(ディスクホルダ(85a-f))にディスクがあるか否かをステータスデータに基づいて判断する(Ｓ５)。スロット番号ｎのスロットにディスクがある場合、メインマイコン(65)からの指令に基づいて、ＧＰＵ(69)は、スロット番号ｎのスロットの選択キー(203a-f)を標準表示で示す画像データを作成する(Ｓ７)。スロット番号ｎのスロットにディスクがない場合、ＧＰＵ(69)は、スロット番号ｎのスロットの選択キー(203a-f)をグレーアウト表示で示す画像データを作成する(Ｓ９)。ステップＳ７又はＳ９で作成された画像データは、ロード/エジェクト画面(201)の背景を示す画像データと合成される。背景を示す画像データは、ＧＰＵ(69)によって作成されて、図示を省略したＶＲＡＭに記憶されている。あるいは、スロット番号１のスロットの選択キー(203a)を示す画像データと共に、ロード/エジェクト画面(201)の背景を示す画像データが作成されて、ＶＲＡＭに記憶される。
【００４７】
ステップＳ７又はＳ９の後、変数ｎが最大収納ディスク数に等しいか否かがメインマイコン(65)にて判断される(Ｓ１１)。本実施例では、最大収納ディスク数は６である。変数ｎが最大収納ディスク数に等しくない場合、メインマイコン(65)は、変数ｎをインクリメントし(Ｓ１３)、ステップＳ５及びそれ以降のステップを再度実行する。全てのスロットについてステップＳ７又はＳ９が実行されると、ステップＳ１１に引き続いて、メインマイコン(65)は、空きスロットがあるか否かをステータスデータに基づいて判断する(Ｓ１５)。空きスロットがある場合、メインマイコン(65)は、ロードキー(205)を標準表示で示す画像データを作成するようにＧＰＵ(69)に指示する(Ｓ１７)。空きスロットがない場合、ロードキー(205)をグレーアウト表示で示す画像データを作成するようにＧＰＵ(69)に指示する(Ｓ１９)。ステップＳ１７又はＳ１９で作成された画像データは、ロード/エジェクト画面(201)の背景を示す画像データと合成される。
【００４８】
ステップＳ１７の後、全てのスロットが空きスロットであるか否かが、ステータスデータに基づいてメインマイコン(65)にて判断される(Ｓ２１)。全てのスロットが空きスロットである場合、メインマイコン(65)は、エジェクトキー(207)をグレーアウト表示で示す画像データを作成するようにＧＰＵ(69)に指示する(Ｓ２３)。空きスロットがある場合、メインマイコン(65)は、文字列「ＥＪＥＣＴ  ＡＬＬ」が付されたエジェクトキー(207)を示す画像データを作成するようにＧＰＵ(69)に指示する(Ｓ２５)。ステップＳ２３又はＳ２５で作成された画像データは、ロード/エジェクト画面(201)の背景を示す画像データと合成される。
【００４９】
上述した処理が行われることで、ロード/エジェクト画面(201)の画像データの作成が完了し、ＬＣＤ(21)は、作成された画像データに基づいて、ロード/エジェクト画面(201)を表示する処理を行う。その後、ユーザは、ロード/エジェクト画面(201)を用いて、ディスクの収納又は排出を指示する。図１５は、ＬＣＤ(21)に表示されたロード/エジェクト画面(201)のソフトキー操作に関する処理を示すフローチャートである。
【００５０】
メインマイコン(65)は、キーマイコン(71)から送られる信号から有効な選択キー(203a-f)の押下を判断する(Ｓ３１)。有効な選択キー(203a-f)が押されると、メインマイコン(65)は、押された選択キー(203a-f)に対応するスロットが既に選択されているか否かを、ＲＡＭに記憶されている排出スロットリストを参照して判断する(Ｓ３３)。排出スロットリストには、現在選択されているスロットのスロット番号が記述される。ステップＳ３３にて、押された選択キー(203a-f)に対応するスロット番号が排出スロットリストに記載されていないと判断された場合、メインマイコン(65)は、そのスロット番号を排出スロットリストに記載する(Ｓ３５)。ステップＳ３５の後、メインマイコン(65)は、ステップＳ３１にて押下が確認された有効な選択キー(203a-f)を通常表示からハイライト表示に変更するように、ＧＰＵ(69)に指示する(Ｓ３７)。ＧＰＵ(69)は、この指示に基づいてロード/エジェクト画面(201)の画像データを書き換える。
【００５１】
ステップＳ３７の後、メインマイコン(65)は、ＲＡＭに記憶されているエジェクトキーの状態に基づいて、エジェクトキー(207)の字列「ＥＪＥＣＴ  ＡＬＬ」であるか否かを判断する(Ｓ３９)。エジェクトキー(207)の文字列が「ＥＪＥＣＴ  ＡＬＬ」である場合、メインマイコン(65)は、エジェクトキー(207)の文字列を「ＥＪＥＣＴ」に変更するようにＧＰＵ(69)に指示する(Ｓ４１)。ＧＰＵ(69)は、この指示に基づいてロード/エジェクト画面(201)の画像データを書き換える。また、メインマイコン(65)は、ＲＡＭに記憶しているエジェクトキーの状態を変更する。
【００５２】
ステップＳ３３にて、押された選択キー(203a-f)に対応するスロット番号が排出スロットリストに記載されている判断された場合、メインマイコン(65)は、そのスロット番号を排出スロットリストから削除する(Ｓ４３)。ステップＳ４３の後、メインマイコン(65)からの指示が出されて、ＧＰＵ(69)は、メインマイコン(65)は、ステップＳ３１にて押下が確認された選択キー(203a-f)をハイライト表示から通常表示に変更するように、ＧＰＵ(69)に指示する(Ｓ４５)。
【００５３】
ステップＳ４５の後、メインマイコン(65)は、排出スロットリストを参照して現在選択されているスロットが皆無であるか否かを判断する(Ｓ４７)。現在選択されているスロットが無い場合、メインマイコン(65)は、エジェクトキー(207)の文字列を「ＥＪＥＣＴ」から「ＥＪＥＣＴ  ＡＬＬ」に変更するようにＧＰＵ(69)に指示する(Ｓ４９)。また、メインマイコン(65)は、ＲＡＭに記憶しているエジェクトキー(207)の状態を変更する。
【００５４】
ステップＳ３１、Ｓ３９若しくはＳ４７において否と判断された後、又はステップＳ４１若しくＳ４９の後、メインマイコン(65)は、キーマイコン(71)から送られる信号からエジェクトキー(207)とロードキー(205)の押下を判断する(Ｓ５１，Ｓ５３)。エジェクトキー(207)が押下されずに、ロードキー(205)が押された場合(Ｓ５３)、メインマイコン(65)は、ロード/エジェクト画面(201)の操作に関する処理を終了して、図１６に示すディスクの収納動作を実行する。エジェクトキー(207)及びロードキー(205)が押されない場合、ステップＳ３１及びそれ以降の処理が繰り返される。
【００５５】
エジェクトキー(207)が押された場合(Ｓ５１)、メインマイコン(65)は、エジェクトキー(207)の文字列が「ＥＪＥＣＴ  ＡＬＬ」であるか否かを判断する(Ｓ５５)。エジェクトキー(207)の文字列が「ＥＪＥＣＴ  ＡＬＬ」である場合、メインマイコン(65)は、排出スロットリストに全てのスロット番号を記載する(Ｓ５７)。その後、メインマイコン(65)は、図１８に示すディスクの排出動作を実行する。エジェクトキー(207)の文字列が「ＥＪＥＣＴ」である場合、排出スロットリストの書き換えが行われることなく、図１８に示すディスクの排出処理が実行される。
【００５６】
図１６は、ディスクチェンジャードライブ(7)へのディスクの収納動作を示すフローチャートである。ロードキー(205)が押されると、メインマイコン(65)は、フロントパネル開閉機構(33)を動作させて、フロントパネル(5)を図２に示す開位置に移動させる(Ｓ６１)。フロントパネル(5)が 開位置に配置されると、メインマイコン(65)は、タッチパネル(23)からの入力信号を無視して処理しないようにキーマイコン(71)に指示し、タッチパネル(23)による操作が無効にされる(Ｓ６３)。さらに、メインマイコン(65)は、ＧＰＵ(69)に対して、ロード/エジェクト画面(201)の全てのソフトキーをグレーアウト表示にする指示を送り、ＧＰＵ(69)は、ロード/エジェクト画面(201)の画像データを変更する(図１３を参照)。
【００５７】
ステップＳ６５の後、メインマイコン(65)は、ステータスデータを参照して、スロット番号が最も小さい空きスロット、つまりスロット番号が最も小さい空きディスクホルダ(85a-f)をローディング待ち状態にするように、ディスクチェンジャードライブ(7)の制御マイコン(83)に指示する(Ｓ６５)。このローディング待ち状態において、ディスク挿入口(27)にディスクが挿入されると、上述したようにスロット番号が最も小さいディスクホルダ(85a-f)にディスクが収められる。メインマイコン(65)は、ディスクチェンジャードライブ(7)の制御マイコン(83)からの通知により、ディスクの収納(ローディング)が完了したか否かを判断する(Ｓ６７)。ディスクの収納が完了すると、メインマイコン(65)は、そのディスクホルダ(85a-f)にディスクが保持されている旨を示すようにステータスデータを変更する(Ｓ６９)。
【００５８】
ステップＳ６９の後、メインマイコン(65)は、ステータスデータに基づいて空きスロットがあるか否かを判断する(Ｓ７１)。空きスロットがある場合、ステップＳ６５及びそれ以降のステップが行われる。空きスロットがない場合、メインマイコン(65)は、フロントパネル開閉機構(33)を動作させて、フロントパネル(5)を閉位置に移動させる(Ｓ７３)。図１に示す閉位置にフロントパネル(5)が配置されると、メインマイコン(65)は、ディスクチェンジャードライブ(7)の動作モードを、オープン/クローズキー(19a)が押されてロード/エジェクト画面(201)が表示される直前の動作モードに戻して、当該動作モードの操作用画面を表示するように、ＧＰＵ(69)に指示する(Ｓ７５)。さらに、メインマイコン(65)は、キーマイコン(71)に対して、タッチパネル(23)からの入力信号を処理にするように指示する。
【００５９】
例えば、スロット番号２乃至５のディスクホルダ(85b-e)にディスク(101)が保持されており、図１７(a)に示す位置に各ディスクホルダ(85a-f)が配置されている場合を考える。最もスロット番号が小さい空きスロットは、スロット番号１のスロットである。従って、図１１に示すロード/エジェクト画面(201)においてロードキー(205)が押されると、ステップＳ６１乃至６５が行われて、図１７(b)に示すようにディスクホルダ(85a-f)が配置される。スロット番号１のディスクホルダ(85a)は、ローディング待ち状態になるようにディスク挿入口(27)から搬送されるディスクを受け入れ可能な位置に配置される。ユーザがディスク(101)をディスク挿入口(27)に挿入して、そのディスク(10)がディスクホルダ(85a)に搬送及び保持されると、再度ステップＳ６５が実行されて、図１７(c)に示すように、最もスロット番号が小さい空きスロットであるスロット番号６のディスクホルダ(85f)が、搬送されるディスク(101)を受け入れ可能な位置に配置される。
【００６０】
図１８は、ディスクの排出動作を示すフローチャートである。エジェクトキー(207)が押されると、メインマイコン(65)は、図１６に示すステップＳ６１と同様にフロントパネル開閉機構(33)を動作させて、図２に示す開位置にフロントパネル(5)が配置される(Ｓ８１)。その後、 メインマイコン(65)は、ステップＳ６３と同様に、タッチパネル(23)による操作を無効にし、ＧＰＵ(69)に対して、ロード/エジェクト画面(201)の全てのソフトキーをグレーアウト表示にする指示を送る(Ｓ８３)。 ステップＳ８３の後、メインマイコン(65)は、排出スロットリストを読み出して(Ｓ８５)、ディスクチェンジャードライブ(7)の制御マイコン(83)に対して、排出スロットリストにスロット番号が記載されているあるディスクホルダ(85a-f)からディスクを排出するように指示する(Ｓ８７)。
【００６１】
ステップＳ８７を受けて、ディスクチェンジャードライブ(7)では、ディスクの排出が行われる。排出されたディスクは、ユーザが取り出すまでディスク挿入口(27)に差し込まれたままである。メインマイコン(65)は、ディスクチェンジャードライブ(7)の制御マイコン(83)からの通知によりディスクが取り出されたか否かを判断し(Ｓ８９)、ディスクが取り出されると、排出すべき次のディスクがあるか否かを判断する(Ｓ９１)。排出すべき次のディスクディスクがある場合、つまり排出スロットリストに記載された全てスロットからディスクが排出されていない場合、ステップＳ８７が再度行われる。ステップＳ８７が繰り返されることで、例えば、スロット番号が小さいスロットから順番にディスクが排出される。排出スロットリストに記載された全てのスロットからディスクが排出及び取り出されると、ステップＳ９１の後、図１６のステップＳ６５乃至７５と同様なステップが実行される(Ｓ９３乃至１０３)。
【００６２】
図１９(a)に示すように各ディスクホルダ(85a-f)が配置されており、スロット番号２乃至５のディスクホルダ(85b-e)にディスク(101)が保持されている場合を考える。この場合、オープン/クローズキー(19a)が押されると、図１１に示すロード/エジェクト画面(201)が表示される。このロード/エジェクト画面(201)にて図１２に示すようにスロット番号３及び４のスロットが選択され、さらにエジェクトキー(207)が押されると、ステップＳ８１乃至８５乃至８７が実行される。ステップＳ８７が実行されることにより、図１９(b)に示す位置に各ディスクホルダ(85a-f)が移動して、スロット番号３のディスクホルダ(85c)に保持されたディスク(101)が排出される。その後、図９に示すようにディスク挿入口(27)に差し込まれたまま状態のディスク(101)が、ユーザにより取り出される。
【００６３】
スロット番号３のディスクホルダ(85c)に保持されていたディスク(101)がユーザにより取り出されると、ステップＳ８９及びＳ９１、さらにはステップＳ８７が実行されて、図１９(c)に示す配置に各ディスクホルダ(85a-f)が移動し、スロット番号４のディスクホルダ(85d)に保持されたディスク(101)の排出が行われる。そのディスク(101)がディスク挿入口(27)から取り出されると、ステップＳ８９乃至９３が実行されて、図１９(d)に示すように、最もスロット番号が小さい空きスロットであるスロット番号１のディスクホルダ(85a)が、ディスク挿入口(27)から送られるディスク(101)を受け入れ可能な位置に配置される。
【００６４】
図２０は、フロントパネル(5)が図２に示す開位置にある状態で、オープン/クローズキー(19a)が押された場合に行われる処理を示したフローチャートである。オープン/クローズキー(19a)が押されると、メインマイコン(65)は、ディスクの排出が現在行われているか否か、あるいは、排出されたディスクが取り出されずにディスク挿入口(27)に差し込まれたままであるか否かを判断する(Ｓ１１１)。メインマイコン(65)は、ディスクの排出が行われている場合、ディスクの排出を中止して、従前まで保持されていたディスクホルダ(85a-f)にそのディスクを収納するように、ディスクチェンジャードライブ(7)の制御マイコン(83)に指示する(Ｓ１１３)。ディスクが取り出されていない場合、メインマイコン(65)は、従前まで保持されていたディスクホルダ(85a-f)に未取出しのディスクを収納するように制御マイコン(83)に指示する。
【００６５】
ディスクの排出が行われていない場合、又はディスク挿入口(27)にディスクが差し込まれたまま放置されていない場合、メインマイコン(65)は、ディスクの収納が現在行われているか否かを判断する(Ｓ１１５)。ディスクの収納が行われている場合、ディスクの収納が引き続き行われる(Ｓ１１３)。ディスクの収納が行われていない場合、メインマイコン(65)は、ディスクチェンジャードライブ(7)がローディング待ち状態であるか否かを判断する(Ｓ１１７)。ディスクチェンジャードライブ(7)がローディング待ち状態である場合、メインマイコン(65)は、ローディング待ち状態を解除する指示をディスクチェンジャードライブ(7)の制御マイコン(83)に送る(Ｓ１１９)。制御マイコン(83)は、ディスクチェンジャードライブ(7)のガイド部(91)とベルト搬送部(93)を図７に示す位置よりも互いに離れるように移動させて、ディスクホルダ(85a-f)の移動とディスクの再生動作が行われることを想定した状態にディスクチェンジャードライブ(7)を移行させる。ステップＳ１１３若しくはＳ１１９の後、又は、ステップＳ１１７にてローディング待ち状態でないと判断された場合、ステップＳ７３及びＳ７５と同様なステップが行われる(Ｓ１２１、Ｓ１２３)。
【００６６】
本実施例のカーオーディオ装置(1)は、ナビゲーション機能を有しており、同機能に必要な地図データ等はＨＤＤ(9)のハードディスクに記録されているが、これらデータの記録媒体としてＤＶＤ等の記録媒体が用いられてもよい。例えばＤＶＤが使用される場合、ＨＤＤ(9)はＤＶＤドライブに置き換えられるが、ＤＶＤの挿脱を行うためには、フロントパネル(5)を図２に示す開位置に移動させて、ＤＶＤが通る挿入口を露出させる必要がある。
【００６７】
図２１は、ＨＤＤ(9)がＤＶＤドライブに置き換えられた場合におけるロード/エジェクト画面の一例である。図１１に示したソフトキーに加えてＤＶＤの収納又は排出を指示するロード/エジェクトキー(209)が設けられている。ロード/エジェクトキー(209)は、ＤＶＤドライブにディスクが収納されている場合には、「ＥＪＥＣＴ  ＭＡＰ」なる文字列と共に示されて、この状態で押されるとＤＶＤの排出が指示される。また、ＤＶＤドライブにディスクが挿入されていない場合、ロード/エジェクトキー(209)は、「ＬＯＡＤ  ＭＡＰ」なる文字列と共に示されて、この状態で押されるとＤＶＤの収納が指示される。図２１は、ＤＶＤドライブにＤＶＤが収納されている場合におけるロード/エジェクト画面(201)を示している。
【００６８】
ＨＤＤ(9)がＤＶＤドライブに置き換えられる場合、図１４のステップＳ２３及びＳ２５の後に、ＤＶＤドライブにおけるＤＶＤの有無を判断して、その結果に応じてロード/エジェクトキー(209)の態様(「ＥＪＥＣＴ  ＭＡＰ」又は「ＬＯＡＤ  ＭＡＰ」)を定める処理が追加される。また、図１５のステップＳ５３の後に、ロード/エジェクトキー(209)の押下の有無と押されたロード/エジェクトキー(209)の態様を判断する処理が追加される。図１６及び図１８に示すステップＳ６３及びＳ８３では、ロード/エジェクトキー(209)もクレーアウト表示される。文字列「ＬＯＡＤ  ＭＡＰ」が付されたロード/エジェクトキー(209)が押されると、図１６に示すフローチャートにてステップＳ７１を削除した場合と同様な処理が行われる。文字列「ＥＪＥＣＴ  ＭＡＰ」が付されたロード/エジェクトキー(209)が押されると、図１８に示すフローチャートにて、ステップＳ８５及びＳ９５を削除した場合と同様な処理が行われる。また、フロントパネル(5)が図２に示す開位置にある状態で、オープン/クローズキー(19a)が押された場合、ＤＶＤについても図２０と同様な処理が行われるわれる。
【００６９】
本実施例のカーオーディオ装置(1)では、オープン/クローズキー(19a)を押すことでロード/エジェクト画面(201)が表示されているが、ＬＣＤ(21)に表示されたソフトキーが押されることで、ロード/エジェクト画面(201)の表示が行われてもよい。また、本実施例のカーオーディオ装置(1)では、フロントパネル(5)が開位置に移動すると全てのロード/エジェクト画面(201)の全てのソフトキーをグレーアウト表示にすることで、タッチパネル(23)を介した操作、つまりソフトキーによる操作が無効である旨をユーザに示しているが、フロントパネル(5)が開位置に移動すると、ロード/エジェクト画面(201)自体が表示されないように、又は、ロード/エジェクト画面(201)の全てソフトキーが表示されないようにされてもよい。
【００７０】
図１６及び図１８に示すステップＳ６３及びＳ８３では、キーマイコン(71)がタッチパネル(23)からの入力信号を無視することで、タッチパネル(23)を介した操作が無効にされているが、タッチパネル(23)の任意の領域が押された場合に、メインマイコン(65)がソフトキーに関する処理を行わず、さらには、スピーカ(57)から警告音が発せられてもよい。
【００７１】
ディスクチェンジャードライブ(7)を具えたカーオーディオ装置(1)を実施例として本発明を説明したが、収納可能なディスクが１枚のみであるディスクドライブがディスクチェンジャードライブ(7)の代わりに使用されてもよい。
【００７２】
上記実施例の説明は、本発明を説明するためのものであって、特許請求の範囲に記載の発明を限定し、或いは範囲を減縮する様に解すべきではない。また、本発明の各部構成は上記実施例に限らず、特許請求の範囲に記載の技術的範囲内で種々の変形が可能であることは勿論である。
【図面の簡単な説明】
【００７３】
【図１】本発明の実施例であるカーオーディオ装置の斜視図であって、フロントパネルは閉位置にある。
【図２】本発明の実施例であるカーオーディオ装置の斜視図であって、フロントパネルは開位置にある。
【図３】本発明の実施例であるカーオーディオ装置の側面図であって、フロントパネルは閉位置にある。
【図４】本発明の実施例であるカーオーディオ装置の側面図であって、フロントパネルは開位置にある。
【図５】フロントパネルが開位置にある状態のフロントパネル開閉機構を示す説明図である。
【図６】本発明の実施例であるカーオーディオ装置のブロック図である。
【図７】最上のディスクホルダがローディング待ち状態にあるディスクチェンジャードライブを、図２に示すＩ−Ｉ線を含む水平面で破断して矢視方向に見た断面図である。
【図８】図８(a)乃至(c)は、ディスクチェンジャードライブの内部におけるディスクホルダの配置例を模式的に示した説明図である。
【図９】最上のディスクホルダがローディング待ち状態にあるディスクチェンジャードライブのディスク挿入口に、ディスクが挿入された状態を示す断面図である。
【図１０】最上のディスクホルダにディスクが収納された状態を示す断面図である。
【図１１】本発明の実施例であるカーオーディオ装置のフロントパネルの正面図であって、ロード/エジェクト画面が表示された状態を示している。
【図１２】本発明の実施例であるカーオーディオ装置のフロントパネルの正面図であって、スロット番号３及び４のスロットが選択されている状態のロード/エジェクト画面を示している。
【図１３】本発明の実施例であるカーオーディオ装置のフロントパネルの正面図であって、フロントパネルが開位置にある状態のロード/エジェクト画面を示している。
【図１４】ロード/エジェクト画面に係る画像データの作成処理を示すフローチャートである。
【図１５】ロード/エジェクト画面のソフトキー操作に関する処理を示すフローチャートである。
【図１６】ディスクチェンジャードライブへのディスクの収納動作を示すフローチャートである。
【図１７】図１７(a)乃至(c)は、ディスクの収納動作を模式的に示した説明図である。
【図１８】ディスクチェンジャードライブからのディスクの排出動作を示すフローチャートである。
【図１９】図１９(a)乃至(d)は、ディスクホルダの排出動作を模式的に示した説明図である。
【図２０】フロントパネルが開状態にあってオープン/クローズキーが押された場合に行われる処理を示したフローチャートである。
【図２１】本発明の実施例であるカーオーディオ装置のフロントパネルの正面図であって、ＤＶＤドライブ用のソフトキーが設けられたロード/エジェクト画面を示している。
【符号の説明】
【００７４】
(1)       カーオーディオ装置
(3)       本体部
(5)       フロントパネル
(7)       ディスクチェンジャドライブ
(19a)     オープン/クローズキー
(27)      ディスク挿入口
(65)      メインマイコン
(71)      キーマイコン
(85a-f)   ディスクホルダ
(101)     ディスク
(201)     ロードエジェクト画面
(203a-f)  選択キー
(205)     ロードキー
(207)     エジェクトキー
【図１】
2007273004.tif 000003
【図２】
2007273004.tif 000004
【図３】
2007273004.tif 000005
【図４】
2007273004.tif 000006
【図５】
2007273004.tif 000007
【図６】
2007273004.tif 000008
【図７】
2007273004.tif 000009
【図８】
2007273004.tif 000010
【図９】
2007273004.tif 000011
【図１０】
2007273004.tif 000012
【図１１】
2007273004.tif 000013
【図１２】
2007273004.tif 000014
【図１３】
2007273004.tif 000015
【図１４】
2007273004.tif 000016
【図１５】
2007273004.tif 000017
【図１６】
2007273004.tif 000018
【図１７】
2007273004.tif 000019
【図１８】
2007273004.tif 000020
【図１９】
2007273004.tif 000021
【図２０】
2007273004.tif 000022
【図２１】
2007273004.tif 000023